(57)【要約】【課題】扉の閉め忘れに伴う手摺の破損、並びに作業員のガーダ上への誤進入を防止し得る天井クレーンの手摺構造を提供する。【解決手段】サドル３上に立設された手摺８の両端部に、サドル３側からガーダ４上の点検用通路への通行を遮るためのスライド扉１０を開閉自在に取り付けると共に、該スライド扉１０を重力の作用により閉じる方向へ付勢するウエイト機構１１を設ける。【選択図】　　　　図１
2004083183.tif 000002
【特許請求の範囲】
【請求項１】
走行車輪が配設されたサドルを両端部に有し且つ走行レールに沿って走行可能なガーダと、該ガーダにその長手方向へ延びるよう敷設された横行レールに沿って横行可能なトロリーとを備えた天井クレーンの手摺構造において、
サドル上に立設された手摺の両端部に、サドル側からガーダ上の点検用通路への通行を遮るためのスライド扉を開閉自在に取り付けると共に、該スライド扉を重力の作用により閉じる方向へ付勢するウエイト機構を設けたことを特徴とする天井クレーンの手摺構造。
【請求項２】
手摺に取り付けたガイドシーブに、一端がスライド扉に接続される紐状体を掛け回し、該紐状体の他端にウエイトを吊り下げ、該ウエイトの下降と連動してスライド扉が閉じるようにすることにより、ウエイト機構を構成した請求項１記載の天井クレーンの手摺構造。
【請求項３】
スライド扉を閉鎖位置に保持するロック機構を備えてなる請求項１又は２記載の天井クレーンの手摺構造。
【請求項４】
スライド扉に取り付けられ且つロック孔が穿設されたブラケットと、スライド扉が閉鎖位置に移行した際に前記ブラケットのロック孔に嵌入するよう手摺に設けられたロックレバーとにより、ロック機構を構成した請求項３記載の天井クレーンの手摺構造。
【発明の詳細な説明】
【０００１】
【発明の属する技術分野】
本発明は、工場や各種建屋等の構造物の天井に据え付けられて屋内の荷役を行うための天井クレーンの手摺構造に関するものである。
【０００２】
【従来の技術】
一般に、工場や各種建屋等の構造物においては、屋内での荷役を行うための天井クレーンを装備する場合が多く、こうした天井クレーンは、例えば、図３に示されるような構造のものが多用されている。
【０００３】
図３に示される天井クレーンは、屋内の天井付近に敷設された一対の走行レール１間に、走行車輪２が配設されたサドル３を両端部に有するガーダ４を走行可能に掛け渡し、該ガーダ４に、用途に応じてスラブリフターやコイルリフター等の吊具５が巻上げ下げ可能に吊り下げられたトロリー６を、ガーダ４の長手方向へ延びるよう敷設された横行レール７に沿って横行可能に搭載してなる構成を有している。
【０００４】
ところで、前述の如き天井クレーンにおいては、前記サドル３の上を作業員が歩けるようにするために、図３及び図４に示される如く、サドル３の上に手摺８，９を立設することがあるが、このような手摺８，９を設けた場合、特に、内側に位置する手摺８は、トロリー６の横行に際して干渉する虞があり、該トロリー６の横行ストロークを狭める要因となるため、通常、トロリー６によって押された場合にのみ外側の手摺９に近接する方向へ退避可能な可動式とすることが多い。
【０００５】
又、更に各種点検作業等を行うために、作業員が前記サドル３側からガーダ４上の点検用通路へ通行できるようにする要求がある場合には、前記手摺８のガーダ４と対応する部分を、図示していないヒンジを用いた手動の開閉式扉とすることも行われていた。
【０００６】
【発明が解決しようとする課題】
しかしながら、前述の如く、手摺８のガーダ４と対応する部分を手動の開閉式扉とするのでは、万一、作業員が開閉式扉を閉め忘れた場合、該開閉式扉にトロリー６が接触する等して手摺８が破損したり、作業員がガーダ４上へ誤って進入してしまう虞があった。
【０００７】
本発明は、斯かる実情に鑑み、扉の閉め忘れに伴う手摺の破損、並びに作業員のガーダ上への誤進入を防止し得る天井クレーンの手摺構造を提供しようとするものである。
【０００８】
【課題を解決するための手段】
本発明は、走行車輪が配設されたサドルを両端部に有し且つ走行レールに沿って走行可能なガーダと、該ガーダにその長手方向へ延びるよう敷設された横行レールに沿って横行可能なトロリーとを備えた天井クレーンの手摺構造において、サドル上に立設された手摺の両端部に、サドル側からガーダ上の点検用通路への通行を遮るためのスライド扉を開閉自在に取り付けると共に、該スライド扉を重力の作用により閉じる方向へ付勢するウエイト機構を設けたことを特徴とする天井クレーンの手摺構造にかかるものである。
【０００９】
上記手段によれば、以下のような作用が得られる。
【００１０】
作業員が各種点検作業等を行うためにサドル側からガーダ上の点検用通路へ通行する際には、手摺のスライド扉をウエイト機構による付勢力に抗して開き、ガーダ上へ移動した後、スライド扉から手を放せば、前記ウエイト機構による重力の作用によりスライド扉は自動的に閉じるため、該スライド扉の閉め忘れがなくなり、従来のように、扉にトロリーが接触する等して手摺が破損したり、作業員がガーダ上へ誤って進入してしまう心配がなくなる。
【００１１】
前記天井クレーンの手摺構造においては、手摺に取り付けたガイドシーブに、一端がスライド扉に接続される紐状体を掛け回し、該紐状体の他端にウエイトを吊り下げ、該ウエイトの下降と連動してスライド扉が閉じるようにすることにより、ウエイト機構を構成することができる。
【００１２】
又、前記天井クレーンの手摺構造においては、スライド扉を閉鎖位置に保持するロック機構を備えるようにすることができ、このようにすると、スライド扉が振動等により開いてしまうことが避けられ、信頼性を高めることが可能となる。
【００１３】
前記ロック機構は、スライド扉に取り付けられ且つロック孔が穿設されたブラケットと、スライド扉が閉鎖位置に移行した際に前記ブラケットのロック孔に嵌入するよう手摺に設けられたロックレバーとにより構成することができる。
【００１４】
【発明の実施の形態】
以下、本発明の実施の形態を図示例と共に説明する。
【００１５】
図１及び図２は本発明を実施する形態の一例であって、図中、図３及び図４と同一の符号を付した部分は同一物を表わしており、基本的な構成は図３及び図４に示す従来のものと同様であるが、本図示例の特徴とするところは、図１及び図２に示す如く、サドル３上に立設された手摺８の両端部に、サドル３側からガーダ４上の点検用通路への通行を遮るためのスライド扉１０を開閉自在に取り付けると共に、該スライド扉１０を重力の作用により閉じる方向へ付勢するウエイト機構１１を設けた点にある。
【００１６】
本図示例の場合、前記ウエイト機構１１は、手摺８に取り付けたガイドシーブ１１ａに、一端がスライド扉１０に接続される紐状体１１ｂを掛け回し、該紐状体１１ｂの他端にウエイト１１ｃを吊り下げ、該ウエイト１１ｃの下降と連動してスライド扉１０が閉じるように構成してある。
【００１７】
又、本図示例の場合、前記スライド扉１０を閉鎖位置に保持するロック機構１２を備え、該ロック機構１２は、スライド扉１０に取り付けられ且つロック孔１２ａが穿設されたブラケット１２ｂと、スライド扉１０が閉鎖位置に移行した際に前記ブラケット１２ｂのロック孔１２ａに嵌入するよう手摺８に設けられたロックレバー１２ｃとにより構成してある。
【００１８】
次に、上記図示例の作用を説明する。
【００１９】
作業員が各種点検作業等を行うためにサドル３側からガーダ４上の点検用通路へ通行する際には、図２（Ａ）に示す状態から、ロック機構１２のロックレバー１２ｃをブラケット１２ｂのロック孔１２ａから引き抜きつつ、手摺８のスライド扉１０をウエイト機構１１のウエイト１１ｃによる付勢力に抗して開き、図２（Ｂ）に示す状態としてガーダ４上へ移動した後、スライド扉１０から手を放せば、前記ウエイト機構１１のウエイト１１ｃによる重力の作用によりスライド扉１０は自動的に閉じ、再度、図２（Ａ）に示す状態に戻るため、該スライド扉１０の閉め忘れがなくなり、従来のように、扉にトロリー６が接触する等して手摺８が破損したり、作業員がガーダ４上へ誤って進入してしまう心配がなくなる。
【００２０】
ここで、前記ロック機構１２のロックレバー１２ｃは、スライド扉１０が閉鎖位置に移行した際に前記ブラケット１２ｂのロック孔１２ａに再び嵌入するため、スライド扉１０が振動等により開いてしまうことが避けられ、信頼性を高めることが可能となる。
【００２１】
こうして、スライド扉１０の閉め忘れに伴う手摺８の破損、並びに作業員のガーダ４上への誤進入を防止し得る。
【００２２】
尚、本発明の天井クレーンの手摺構造は、上述の図示例にのみ限定されるものではなく、本発明の要旨を逸脱しない範囲内において種々変更を加え得ることは勿論である。
【００２３】
【発明の効果】
以上、説明したように本発明の天井クレーンの手摺構造によれば、扉の閉め忘れに伴う手摺の破損、並びに作業員のガーダ上への誤進入を防止し得るという優れた効果を奏し得る。
【図面の簡単な説明】
【図１】本発明を実施する形態の一例の側面図である。
【図２】図１のＩＩ部詳細図であって、（Ａ）はスライド扉の閉鎖時、（Ｂ）はスライド扉の開放時をそれぞれ示す図である。
【図３】従来の天井クレーンの一例を示す正面図である。
【図４】従来の天井クレーンの手摺構造の一例を示す側面図であって、図３のＩＶ−ＩＶ矢視相当図である。
【符号の説明】
１　　　　走行レール
２　　　　走行車輪
３　　　　サドル
４　　　　ガーダ
５　　　　吊具
６　　　　トロリー
７　　　　横行レール
８　　　　手摺
１０　　　　スライド扉
１１　　　　ウエイト機構
１１ａ　　ガイドシーブ
１１ｂ　　紐状体
１１ｃ　　ウエイト
１２　　　　ロック機構
１２ａ　　ロック孔
１２ｂ　　ブラケット
１２ｃ　　ロックレバー
【図１】
2004083183.tif 000003
【図２】
2004083183.tif 000004
【図３】
2004083183.tif 000005
【図４】
2004083183.tif 000006